(57)【要約】      （修正有）【課題】表示体及び光源装置の盗難を防止しつつ、表示体の取り外しの利便性を向上させることができるエレベータホールランタンを提供する。【解決手段】エレベータ乗場の壁に埋め込まれているケース部の内周部には、取付台１ｂが設けられている。表示体７は、取付台１ｂに嵌め合わされることで、開口部を覆うようにケース部に取り付けられる。表示体７の挿入部７ｂには、突起部１０が設けられている。また、取付台１ｂの内周部には、挿入部７ｂの進退方向成分を有する縦溝部１１ａと挿入部７ｂの周方向成分を有する回転溝部１１ｂとが組み合わせられた屈曲形状のガイド溝１１が設けられている。【選択図】図２
2006176313.tif 000002
【特許請求の範囲】
【請求項１】
開口部を有する筒状のケース部、
上記ケース部内に収容されている光源装置、及び
上記開口部を覆い、上記光源装置からの光を乗場に透過させる前面部と、上記前面部に一体に設けられ、上記ケース部の内周部に沿って上記ケース部に挿入される筒状の挿入部とを有する表示体
を備え、
上記挿入部の外周部及び上記ケース部の内周部のいずれか一方には、突起部が設けられており、
上記挿入部の外周部及び上記ケース部の内周部の他方には、上記挿入部が上記ケース部に挿入される際に上記突起部を案内する屈曲形状のガイド溝が設けられていることを特徴とするエレベータホールランタン。
【請求項２】
上記ガイド溝は、上記挿入部の上記ケース部に対する進退方向成分を含む縦溝部、及び上記挿入部の周方向成分を含む回転溝部を有し、上記挿入部の外周面及び上記ケース部の内周部の内周面に沿って設けられていることを特徴とする請求項１記載のエレベータホールランタン。
【請求項３】
上記突起部の端面には、鋸歯状溝が設けられており、
上記ガイド溝の挿入終端部には、鋸歯状溝に係合する板バネが設けられおり、
上記表示体が上記ケース部に取り付ける際に、上記鋸歯状溝と上記板バネとの係合位置を調整することで、上記表示体の取り付け回転角度が調整可能となっていることを特徴とする請求項１又は請求項２に記載のエレベータホールランタン。
【請求項４】
上記挿入部の挿入側端部及び上記挿入側端部に対向する上記ケース部内の対向部の少なくともいずれか一方には、付勢手段が設けられており、
上記表示体は、上記ケース部に取り付けられた際に、上記付勢手段によって上記挿入部の上記ケース部に対する進退方向へ付勢されるようになっていることを特徴とする請求項１〜請求項３のいずれかに記載のエレベータホールランタン。
【請求項５】
上記ケース部の内周部には、上記ガイド溝が設けられた取付台が取り付けられており、
上記取付台は、上記挿入部の上記ケース部に対する進退方向に互いに接続される複数の分割体によって構成されていることを特徴とする請求項１〜請求項４のいずれかに記載のエレベータホールランタン。
【発明の詳細な説明】
【技術分野】
【０００１】
この発明は、エレベータの乗場壁に設置され、例えばかごの昇降方向及び到着などをエレベータ利用者に対して報知するエレベータホールランタンに関するものである。
【背景技術】
【０００２】
従来装置では、開口部を有するケースは、乗場の壁に設置されている。ケースには、光源が格納されている。ケース前面には、開口部を覆い、光源の光を透過させる表示体と、開口部を囲むフェースカバーとが配置されている。表示体は、フェースカバーをケースに取り付けることによりケース前面に固定されている（例えば、特許文献１参照）。
【０００３】
【特許文献１】特開平１１−７９５８４号公報
【発明の開示】
【発明が解決しようとする課題】
【０００４】
上記のような従来のエレベータホールランタンでは、表示体及び光源の盗難などを防止するために、専用の治工具を用いなければフェースカバーを取り外せないようになっている。従って、例えば現場で光源の交換作業を行うときなどには、専用の治工具を準備する必要があり、利便性を低下させている。
【０００５】
この発明は、上記のような課題を解決するためになされたものであり、その目的は、表示体及び光源装置の盗難を防止しつつ、表示体の取り外しの利便性を向上させることができるエレベータホールランタンを提供することである。
【課題を解決するための手段】
【０００６】
この発明に係るエレベータホールランタンは、開口部を有する筒状のケース部、ケース部内に収容されている光源装置、及び開口部を覆い、光源装置からの光を乗場に透過させる前面部と、前面部に一体に設けられ、ケース部の内周部に沿ってケース部に挿入される筒状の挿入部とを有する表示体を備え、挿入部の外周部及びケース部の内周部のいずれか一方には、突起部が設けられており、挿入部の外周部及びケース部の内周部の他方には、挿入部がケース部に挿入される際に突起部を案内する屈曲形状のガイド溝が設けられている。
【発明の効果】
【０００７】
この発明のエレベータホールランタンによれば、挿入部の外周部及びケース部の内周部のいずれか一方には、突起部が設けられており、挿入部の外周部及びケース部の内周部の他方には、挿入部がケース部に挿入される際に突起部を案内する屈曲形状のガイド溝が設けられているので、ガイド溝の形状を知らなければ表示体を容易に取り外すことができず、表示体及び光源装置の盗難を防止することができる。これに対して、ガイド溝の形状を知っていれば、専用の治工具を用いることなく表示体を容易に取り外すことができ、表示体の取り外しの利便性を向上させることができる。
【発明を実施するための最良の形態】
【０００８】
以下、この発明を実施するための最良の形態について、図面を参照して説明する。
実施の形態１．
図１は、この発明の実施の形態１によるエレベータホールランタンの断面図である。図において、エレベータ乗場の壁には、筒状のケース部１が埋め込まれている。ケース部１は、壁に埋め込まれている筒状のケース部本体１ａと、ケース部本体１ａの内周部に取り付けられている円筒状の取付台１ｂとを有している。ケース部本体１ａのエレベータ乗場側（前方）には、開口部２が設けられている。ケース部本体１ａの昇降路側（底部）には、光源装置３が配置されている。光源装置３は、電球３ａ及び電球ソケット３ｂを有している。また、ケース部本体１ａの底部（対向部）には、電球ソケット３ｂを囲むようにコイル状のスプリング（付勢手段）４が取り付けられている。
【０００９】
ケース部本体１ａの前方には、開口部２を覆う表示体７、及び開口部２を囲むフェースカバー６が取り付けられている。表示体７は、開口部２を覆う円板状の前面部７ａと、前面部７ａに一体に設けられ、取付台１ｂの内周部に沿ってケース部本体１ａに挿入されている円筒状の挿入部７ｂとを有している。フェースカバー６は、前面部７ａの周縁部（フランジ部）と、ケース部本体１ａとによって挟まれている。
【００１０】
前面部７ａは、電球３ａが発する光をエレベータ乗場に透過させる。また、前面部７ａの表面には、方向を表す記号、例えば矢印が表示されている。表示体７の内側には、前面部７ａの裏面及び挿入部７ｂの内周面によって、光源装置３が収容される収容溝７ｃが形成されている。
【００１１】
表示体７は、挿入部７ｂが取付台１ｂの内周部に挿入されることで、取付台１ｂに嵌め合わされている。また、表示体７は、取付台１ｂに嵌め合わされている状態では、スプリング４の弾力によって、挿入部７ｂのケース部本体１ａに対する進退方向、即ち、ケース部本体１ａの前方に付勢されている。
【００１２】
次に、図２は、図１の取付台及び表示体を示す分解斜視図である。挿入部７ｂの外周部には、挿入部７ｂの外径方向に突出する複数、即ち２つの突起部１０が設けられている。突起部１０の端面には、鋸歯状溝１０ａが設けられている。即ち、鋸歯状溝１０ａは、突起部１０の端面のうち、挿入部７ｂがケース部本体１ａに挿入される向き側の端面に設けられている。鋸歯状溝１０ａは、複数の溝が連続して設けられているものである。
【００１３】
取付台１ｂの内周面には、表示体７が取付台１ｂに嵌め合わされる際に突起部１０を案内する屈曲形状のガイド溝１１が設けられている。ガイド溝１１は、挿入部７ｂの外周面及び取付台１ｂの内周面に沿って設けられている。また、ガイド溝１１は、挿入部７ｂのケース部本体１ａに対する進退方向成分を含む複数の縦溝部１１ａ、及び挿入部７ｂの周方向成分を含む複数の回転溝部１１ｂを有している。回転溝部１１ｂは、縦溝部１１ａに対して垂直な溝である。さらに、ガイド溝１１は、回転溝部１１ｂと縦溝部１１ａとが交互に配置されることで一続きに形成されている。さらにまた、ガイド溝１１は、突起部１０の数に応じた数だけ取付台１ｂの内周面に設けられている。即ち、ガイド溝１１は、取付台１ｂの内周面に２筋（２本）設けられている。
【００１４】
表示体７が取付台１ｂに嵌め合わされたときには、突起部１０は、ガイド溝１１の挿入終端部１１ｃに到達する。挿入終端部１１ｃは、ケース部本体１ａの最も底部側の回転溝部１１ｂに設けられている。
【００１５】
次に、図３は、図２の挿入終端部での突起部及び板バネを示す正面図である。挿入終端部１１ｃには、ケース部本体１ａの底部側から前方へ、回転溝部１１ｂの端面から内側に突出する板バネ１５が設けられている。突起部１０が挿入終端部１１ｃに到達したときには、板バネ１５は、鋸歯状溝１０ａに係合される。表示体７の取り付け回転角度は、鋸歯状溝１０ａと板バネ１５との係合位置を微調整することで調整可能となっている。
【００１６】
次に、取付台１ｂに対する表示体７の装着手順を説明する。まず、突起部１０が縦溝部１１ａに沿うように、挿入部７ｂを取付台１ｂに挿入する。次に、押し込めなくなるまで（回転溝部１１ｂに達するまで）表示体７を挿入し、次の縦溝部１１ａに達するまで表示体７を回転させる（例えば、表示体７を左に９０°回転させる）。そして、この動作をさらに２回繰り返し行うと、突起部１０が挿入終端部１１ｃに到達する。すると、鋸歯状溝１０ａに板バネ１５が係合し始めるので、前面部７ａに表示された矢印が所定の向きを向くように、鋸歯状溝１０ａと板バネ１５との係合位置を調整し、表示体７の取り付け回転角度を適正な角度に調整する。なお、表示体７を取付台１ｂから取り外す際には、上述した装着手順と逆の手順を行う。
【００１７】
このようなエレベータホールランタンでは、挿入部７ｂに突起部１０が設けられ、ガイド溝１１が取付台１ｂに設けられているので、ガイド溝１１の形状を知らなければ表示体７を容易に取り外すことができず、表示体７及び光源装置３の盗難を防止することができる。これに対して、エレベータホールランタンの内部構造、即ち、ガイド溝１１の形状を知っていれば、専用の治工具を用いることなく表示体７を容易に取り外すことができ、表示体７の取り外しの利便性を向上させることができる。
【００１８】
また、従来のエレベータホールランタンでは、表示体は、フェースカバーをケースに取り付けることによりケース前面に固定されていたので、即ち、表示体とフェースカバーとが互いに干渉し合っていたので、表示体７の形状はフェースカバー６の形状に制限されていた。しかし、この例の表示体７は、挿入部７ｂが取付台１ｂに嵌め合わされることでケース部１に固定されるので、前面部７ａはフェースカバー６などの周辺の部材からの干渉を受けることがなく、前面部７ａの形状をより自由に設計することができる。
【００１９】
さらに、このようなエレベータホールランタンでは、挿入終端部１１ｃに、鋸歯状溝１０ａに係合する板バネ１５が設けられているので、表示体７の取り付け回転角度を適正な角度に調整することができ、矢印のような方向を表す記号をより正確に配置することができる。従って、エレベータ利用者に対してかごの昇降方向を正確に報知することができる。
【００２０】
さらにまた、このようなエレベータホールランタンでは、表示体７がケース部本体１ａに取り付けられた際に、表示体７をケース部本体１ａの前方方向に付勢するスプリング４が設けられているので、表示体７のガタ付きを防止することができる。
【００２１】
実施の形態２．
次に、図４は、この発明の実施の形態２によるエレベータホールランタンの断面図である。実施の形態１では、付勢手段としてスプリング４が用いられていたが、この実施の形態２では、付勢手段として複数の磁石１６を用いる。即ち、挿入部７ｂの挿入側端部と、その挿入側端部に対向する取付台１ｂの底部側端部（対向部）とには、磁石１６がそれぞれ取り付けられている。これらの磁石１６は、同磁極同士が互いに向き合うように配置されている。従って、表示体７は、ケース部本体１ａに取り付けられた際には、それら磁石１６の磁力の反発力によってケース部本体１ａの前方に付勢される。その他の構成は、実施の形態１と同様である。
【００２２】
このようなエレベータホールランタンでは、表示体７がケース部本体１ａに取り付けられた際に、表示体７をケース部本体１ａの前方に付勢する磁石１６が設けられているので、表示体７のガタ付きを防止することができる。
【００２３】
なお、実施の形態２では、磁石１６は、同磁極同士が互いに向き合うように配置されていたが、互いに異なる磁極が向き合うように配置されてもよい。また、挿入部７ｂの挿入側端部及び取付台１ｂの底部側端部のずれか一方のみに磁石１６を設け、挿入部７ｂの挿入側端部及び取付台１ｂの底部側端部の他方には、鉄板などの磁性材を設けてもよい。即ち、表示体７は、ケース部本体１ａの底部方向に付勢されてもよい。
【００２４】
実施の形態３．
次に、図５は、この発明の実施の形態３による取付台の平面図である。図６は、図５の取付台の正面図である。図７は、図５の第１の分割体の斜視図である。なお、図５では、２本設けられているガイド溝１１のうち、１本のガイド溝１１のみを記載し、他方のガイド溝１１の記載は省略している。
【００２５】
図において、取付台１８は、挿入部７ｂのケース部本体１ａに対する進退方向に互いに接続される第１〜第３の分割体１８ａ〜１８ｃによって構成されている。各分割体１８ａ〜１８ｃには、縦溝部１１ａ及び回転溝部１１ｂを有するガイド溝１１がそれぞれ設けられている。即ち、取付台１８は、各分割体１８ａ〜１８ｃの各ガイド溝１１が連続になるように、各分割体１８ａ〜１８ｃを互いに接続することで形成されている。その他の構成は、実施の形態１と同様である。
【００２６】
このようなエレベータホールランタンでは、取付台１８は、第１〜第３の分割体１８ａ〜１８ｃに分割されているので、個々の分割体１８ａ〜１８ｃにガイド溝１１を設けやすく、取付台１８の製作をより容易にすることができる。
【００２７】
なお、実施の形態３では、取付台１８は、３つの分割体１８ａ〜１８ｃによって構成されていたが、分割体の数は複数であれば３つに限定されることなく、取付台は、２つ又は４つ以上の分割体によって構成されてもよい。また、分割体は任意の厚さでよい。
【００２８】
実施の形態４．
次に、図８は、この発明の実施の形態４による取付台及び表示体を示す分解斜視図である。実施の形態１では、突起部１０は、挿入部７ｂに設けられ、ガイド溝１１は、取付台１ｂに設けられるように説明したが、この実施の形態４では、実施の形態１とは逆に、突起部１０は、取付台２０の内周部に設けられ、ガイド溝１１は、表示体２１が有する挿入部（ガイド溝部）２１ｂの外周部に設けられている。また、板バネ１５も表示体２１に取り付けられている。その他の構成は、実施の形態１と同様である。
【００２９】
このように、実施の形態１とは逆に、突起部１０を取付台２０に設け、ガイド溝１１を挿入部２１ｂに設けても、実施の形態１と同様の効果を得ることができる。また、ガイド溝１１を挿入部２１ｂの外周部に設けることができるので、ガイド溝１１の形成をより容易に行うことができる。
【００３０】
実施の形態５．
次に、図９は、この発明の実施の形態５による表示体を示す斜視図である。図１０は、図９の表示体が嵌め合わされる取付台の平面図である。実施の形態１では、挿入部７ｂに突起部１０が２つ設けられるように説明したが、この実施の形態５では、表示体２５の挿入部２５ｂに、突起部１０が１つだけ設けられている。取付台２６には、１本のガイド溝１１が設けられている。その他の構成は、実施の形態１と同様である。
【００３１】
このように、挿入部２５ｂに突起部１０を１つだけ設けるようにし、表示体２５及び取付台２６の構造を簡略化してもよい。
【００３２】
実施の形態６．
次に、図１１は、この発明の実施の形態６による表示体を示す斜視図である。図１２は、図１１の表示体が嵌め合わされる取付台の平面図である。実施の形態の形態１では、挿入部７ｂに同じ大きさの突起部１０が２つ設けられるように説明したが、この実施の形態６では、表示体２８の挿入部２８ｂには、突起部１０よりも挿入部２８ｂの周方向に長い大形突起部３０が設けられている。即ち、挿入部２８ｂには、それぞれ大きさの異なる複数の突起部１０，３０が設けられている。また、取付台２９には、大形突起部３０が挿入される大形縦溝部１１ｄを有するガイド溝３１が設けられている。その他の構成は、実施の形態１と同様である。
【００３３】
このようなエレベータホールランタンでは、挿入部２８ｂに大形突起部３０が設けられているので、大形突起部３０が大形縦溝部１１ｄを通過する回転角度でのみ、即ち前面部２８ａに表示される記号が適切な回転角度になるように（記号が上下逆にならないように）、表示体２８が取付台２９に嵌め合わされ、表示体２８の入れ間違いを防ぐことができる。
【００３４】
なお、実施の形態１〜６では、表示体７，２１，２５，２８を取付台１ｂ，１８，２０，２６，２９に装着する際に、回転溝部１１ｂで、表示体７，２１，２５，２８を左に９０°回転させるように説明したが、その回転角度及び回転方向は任意に設定してよく、例えば、順次違った方向に回転させる必要があるように、また順次違った角度だけ回転させる必要があるように、縦溝部と回転溝部とを組み合わせてもよい。また、少なくとも１回は、表示体７を１８０°以上回転させるように縦溝部と回転溝部とを組み合わせてもよい。このようにすることで、表示体７をケース部１から取り外す作業がより複雑となり、表示体７及び光源装置３の盗難をさらに困難にすることができる。
【００３５】
また、実施の形態１〜６では、ガイド溝１１の形状は、各部で９０°折れ曲がるクランク状になっているように説明したが、その形状は屈曲形状であればよく、例えば、滑らかな曲線状でもよく、また各部で９０°以上折れ曲がるような形状などであってもよい。
【００３６】
さらに、実施の形態１〜６では、挿入部７ｂ，２１ｂ，２５ｂ，２８ｂが挿入される向きが常に底部方向に向かうように、縦溝部１１ａと回転溝部１１ｂとが組み合わせられているように説明したが、途中で戻るようにしてもよい。
【００３７】
さらにまた、
実施の形態１〜６では、ガイド溝１１は、縦溝部１１ａと回転溝部１１ｂとを３つずつ有しているように説明したが、それらの数は２つずつでも４つ以上ずつであってもよい。
【００３８】
また、実施の形態１〜６では、前面部７ａ，２１ａ，２５ａ，２８ａの形状は、円形であるように図示したが、その形状は円形に限定されることなく、例えば正方形、長方形、楕円形などであってもよい。
【００３９】
さらに、実施の形態１〜６では、取付台１ｂ，１８，２０，２６，２９の外形は、円筒形であるように図示したが、取付台１ｂ，１８，２０，２６，２９は筒状であればよく、その外形はケース部本体１ａ内部に取り付けられるものであればよい。
【００４０】
さらに、実施の形態１〜６では、ケース部本体１ａの内周部に、取付台１ｂ，１８，２０，２６，２９が取り付けられるように説明したが、取付台１ｂ，１８，２０，２６，２９は、ケース部本体１ａと一体に設けてもよい。即ち、ケース部本体の内壁に突起部及びガイド溝を直接設けてもよい。
【図面の簡単な説明】
【００４１】
【図１】この発明の実施の形態１によるエレベータホールランタンの断面図である。
【図２】図１の取付台及び表示体を示す分解斜視図である。
【図３】図２の挿入終端部での突起部及び板バネを示す正面図である。
【図４】この発明の実施の形態２によるエレベータホールランタンの断面図である。
【図５】この発明の実施の形態３による取付台の平面図である。
【図６】図５の取付台の正面図である。
【図７】図５の第１の分割体の斜視図である。
【図８】この発明の実施の形態４による取付台及び表示体を示す分解斜視図である。
【図９】この発明の実施の形態５による表示体を示す斜視図である。
【図１０】図９の表示体が嵌め合わされる取付台の平面図である。
【図１１】この発明の実施の形態６による表示体を示す斜視図である。
【図１２】図１１の表示体が嵌め合わされる取付台の平面図である。
【符号の説明】
【００４２】
１  ケース部、１ｂ，１８，２０，２６，２９  取付台（ケース部の内周部）、２  開口部、３  光源装置、４  スプリング（付勢手段）、７，２１，２５，２８  表示体、７ａ，２１ａ，２５ａ，２８ａ  前面部、７ｂ，２１ｂ，２５ｂ，２８ｂ  挿入部、１０  突起部、１０ａ  鋸歯状溝、１１  ガイド溝、１１ｃ  挿入終端部、１５  板バネ、１６  磁石（付勢手段）、１８ａ  分割体、３０  大形突起部、３１  大形ガイド溝。
【図１】
2006176313.tif 000003
【図２】
2006176313.tif 000004
【図３】
2006176313.tif 000005
【図４】
2006176313.tif 000006
【図５】
2006176313.tif 000007
【図６】
2006176313.tif 000008
【図７】
2006176313.tif 000009
【図８】
2006176313.tif 000010
【図９】
2006176313.tif 000011
【図１０】
2006176313.tif 000012
【図１１】
2006176313.tif 000013
【図１２】
2006176313.tif 000014